(57)【要約】【課題】待ち合わせ相手との待ち合わせを支援する照明システムにおいて、汎用性が高く、また、待ち合わせ相手までの経路についても情報を与える。【解決手段】本発明の照明システムは、照明器具と、この照明器具と可視光通信する複数の携帯端末と、これら携帯端末とネットワーク接続されたサーバと、を備える。照明器具は、照明器具の設置位置を示すユニークＩＤを照明光に重畳して出射する。携帯端末は、照明器具からのユニークＩＤに基づいて携帯端末の位置を決定する。サーバは、携帯端末の位置に基づいて一の携帯端末から他の携帯端末までの経路を決定し、その経路を携帯端末に送信する。上記構成によれば、照明器具との可視光通信により携帯端末の位置が決定され、その携帯端末の位置に基づいて待ち合わせ相手までの経路が決定されるので、汎用性が高く、また、待ち合わせ相手までの経路についても情報を与えることができる。【選択図】図５
2015176653.tif 000002
【特許請求の範囲】
【請求項１】
照明光の光強度を変調して可視光通信を行う照明器具と、前記照明器具と可視光通信する複数の携帯端末と、前記携帯端末とネットワーク接続されたサーバと、を備えた照明システムであって、
前記照明器具は、前記照明器具の設置位置を示すユニークＩＤを記憶したＩＤ記憶部と、前記ユニークＩＤを前記照明器具からの照明光に重畳する重畳部と、を有し、
前記携帯端末は、前記照明器具から発信された前記ユニークＩＤを受信するＩＤ受信部と、前記ＩＤ受信部により受信した前記ユニークＩＤに基づいて前記携帯端末の位置を決定する位置決定部と、前記位置決定部により決定された前記携帯端末の位置を前記サーバに送信する通信部と、を有し、
前記サーバは、前記携帯端末から受信した該携帯端末の位置に基づいて一の前記携帯端末から他の前記携帯端末までの経路を決定する経路決定部と、前記経路決定部により決定された前記経路を前記携帯端末に送信する通信部と、を有することを特徴とする照明システム。
【請求項２】
前記経路決定部は、前記複数の携帯端末の各々から該複数の携帯端末の中間地点までの経路を決定することを特徴とする請求項１に記載の照明システム。
【請求項３】
前記携帯端末は、所定の前記携帯端末が属するグループを特定するためのグループＩＤと、所定の前記携帯端末を所有するユーザを特定するためのユーザＩＤと、前記ユーザを認証するためのパスワードと、のうち少なくとも一つを入力するための入力部を更に有することを特徴とする請求項１又は請求項２に記載の照明システム。
【請求項４】
前記経路決定部は、前記複数の携帯端末すべての位置が決定された後に前記経路を決定することを特徴とする請求項１乃至請求項３のいずれか一項に記載の照明システム。
【請求項５】
前記携帯端末は、スマートフォン又はヘッドマウントディスプレイにより構成されていることを特徴とする請求項１乃至請求項４のいずれか一項に記載の照明システム。
【請求項６】
前記照明器具に内蔵又は隣接して設けられ通信媒体として電波信号を発信する電波発信機を更に備え、
前記携帯端末は、前記電波発信機から発信された電波信号を受信する電波受信部を更に有し、前記電波受信部により前記電波信号を受信すると該電波信号を受信したことを前記携帯端末のユーザに通知することを特徴とする請求項１乃至請求項５のいずれか一項に記載の照明システム。
【請求項７】
前記ＩＤ受信部は、前記電波受信部が前記電波発信機からの電波信号を受信すると前記ユニークＩＤを受信することができるオン状態となり、前記電波受信部が前記電波信号を所定時間受信しないと前記オン状態が解除されてオフ状態となることを特徴とする請求項６に記載の照明システム。
【請求項８】
前記携帯端末は、ユニークＩＤが重畳された光を出射する光出射部と、前記光出射部からの光を受光するイメージセンサと、を更に有することを特徴とする請求項６又は請求項７に記載の照明システム。
【請求項９】
前記携帯端末は、前記電波発信機から発信される電波信号の周波数とは異なる周波数の電波信号を発信する電波発信部を更に有し、前記電波発信部からの電波信号を前記電波受信部により受信すると前記イメージセンサを起動することを特徴とする請求項８に記載の照明システム。
【発明の詳細な説明】
【技術分野】
【０００１】
本発明は、待ち合わせ相手との待ち合わせ等を支援する照明システムに関する。
【背景技術】
【０００２】
一般に、待ち合わせ相手と待ち合わせをするときには、携帯端末（携帯電話やスマートフォン）を用いて電話や電子メールで連絡を取り合い、所定の場所で落ち合う。しかしながら、例えば、待ち合わせ相手が電波の届かない場所にいる場合には、待ち合わせ相手と連絡が取れず、待ち合わせがうまくいかないことがある。そこで、電話や電子メールを利用した待ち合わせとは別に、待ち合わせを支援するシステムがあれば便利である。
【０００３】
このようなシステムとして、列車の駅に設置された駅務施設を用いて差出人から受取人に連絡メッセージを送信し、これにより、差出人と受取人との待ち合わせを支援するものがある（例えば、特許文献１参照）。差出人は、携帯端末に保存された電子乗車券を有し、この電子乗車券に連絡メッセージを記憶させて駅の入場自動改札機を通過する。そうすると、入場自動改札機で読み取られた連絡メッセージは、ネットワークを介して差出人と受取人とが待ち合わせをする駅の出場自動改札機に送信される。そして、その出場自動改札機を受取人が通過すると、受取人の携帯端末に連絡メッセージが転送される。
【先行技術文献】
【特許文献】
【０００４】
【特許文献１】特開２０１４−１０４７７号公報
【発明の概要】
【発明が解決しようとする課題】
【０００５】
しかしながら、上述したようなシステムは、列車の駅務施設を利用したものであるので利用箇所が限定されて汎用性が低く、また、待ち合わせ相手にたどり着くまでの経路については何ら情報を与えない。
【０００６】
本発明は、上記課題を解決するものであって、待ち合わせ相手との待ち合わせを支援する照明システムにおいて、汎用性が高く、また、待ち合わせ相手までの経路についても情報を与えることができる照明システムを提供することを目的とする。
【課題を解決するための手段】
【０００７】
本発明の照明システムは、照明光の光強度を変調して可視光通信を行う照明器具と、前記照明器具と可視光通信する複数の携帯端末と、前記携帯端末とネットワーク接続されたサーバと、を備え、前記照明器具は、前記照明器具の設置位置を示すユニークＩＤを記憶したＩＤ記憶部と、前記ユニークＩＤを前記照明器具からの照明光に重畳する重畳部と、を有し、前記携帯端末は、前記照明器具から発信された前記ユニークＩＤを受信するＩＤ受信部と、前記ＩＤ受信部により受信した前記ユニークＩＤに基づいて前記携帯端末の位置を決定する位置決定部と、前記位置決定部により決定された前記携帯端末の位置を前記サーバに送信する通信部と、を有し、前記サーバは、前記携帯端末から受信した該携帯端末の位置に基づいて一の前記携帯端末から他の前記携帯端末までの経路を決定する経路決定部と、前記経路決定部により決定された前記経路を前記携帯端末に送信する通信部と、を有することを特徴とする。
【０００８】
前記経路決定部は、前記複数の携帯端末の各々から該複数の携帯端末の中間地点までの経路を決定することが好ましい。
【０００９】
前記携帯端末は、所定の前記携帯端末が属するグループを特定するためのグループＩＤと、所定の前記携帯端末を所有するユーザを特定するためのユーザＩＤと、前記ユーザを認証するためのパスワードと、のうち少なくとも一つを入力するための入力部を更に有することが好ましい。
【００１０】
前記経路決定部は、前記複数の携帯端末すべての位置が決定された後に前記経路を決定することが好ましい。
【００１１】
前記携帯端末は、スマートフォン又はヘッドマウントディスプレイにより構成されていることが好ましい。
【００１２】
前記照明器具に内蔵又は隣接して設けられ通信媒体として電波信号を発信する電波発信機を更に備え、前記携帯端末は、前記電波発信機から発信された電波信号を受信する電波受信部を更に有し、前記電波受信部により前記電波信号を受信すると該電波信号を受信したことを前記携帯端末のユーザに通知することが好ましい。
【００１３】
前記ＩＤ受信部は、前記電波受信部が前記電波発信機からの電波信号を受信すると前記ユニークＩＤを受信することができるオン状態となり、前記電波受信部が前記電波信号を所定時間受信しないと前記オン状態が解除されてオフ状態となることが好ましい。
【００１４】
前記携帯端末は、ユニークＩＤが重畳された光を出射する光出射部と、前記光出射部からの光を受光するイメージセンサと、を更に有することが好ましい。
【００１５】
前記携帯端末は、前記電波発信機から発信される電波信号の周波数とは異なる周波数の電波信号を発信する電波発信部を更に有し、前記電波発信部からの電波信号を前記電波受信部により受信すると前記イメージセンサを起動することが好ましい。
【発明の効果】
【００１６】
本発明によれば、照明器具との可視光通信により携帯端末の位置が決定され、その携帯端末の位置に基づいて待ち合わせ相手までの経路が決定されるので、汎用性が高く、また、待ち合わせ相手までの経路についても情報を与えることができる。
【図面の簡単な説明】
【００１７】
【図１】本発明の一実施形態に係る照明システムの構成を示す図。
【図２】上記照明システムを構成する照明器具のブロック図。
【図３】上記照明システムを構成する携帯端末のブロック図。
【図４】上記照明システムを構成するサーバのブロック図。
【図５】上記照明システムの動作を示すシーケンス図。
【図６】上記照明システムの動作を示す図。
【図７】上記照明システムの更なる動作を示すシーケンス図。
【図８】上記照明システムの更なる動作を示す図。
【図９】他の実施形態に係る照明システムの構成を示す図。
【図１０】更に他の実施形態に係る照明システムの構成を示す図。
【図１１】（ａ）は上記照明システムを構成するサーバのブロック図、（ｂ）は同サーバを構成する翻訳データベースの内容の一部を示す図。
【図１２】上記照明システムの動作を示すシーケンス図。
【発明を実施するための形態】
【００１８】
本発明の一実施形態に係る照明システムについて図１乃至図８を参照して説明する。図１に示すように、照明システム１は、照明光の光強度を変調して可視光通信を行う複数の照明器具２と、照明器具２と可視光通信する複数の携帯端末３と、携帯端末３とネットワーク４を介して接続されたサーバ５と、を備える。複数の照明器具２は、それぞれの照明光（円弧で示す）が互いに重ならないように所定の間隔を置いて天井（ドットで示す）に設置されている。携帯端末３は、図例では２つの携帯端末３ａ、３ｂから成り、共にスマートフォンにより構成されている。
【００１９】
また、照明システム１は、各々の照明器具２に隣接して設けられ通信媒体として電波信号を発信する複数の電波発信機６を備える。複数の電波発信機６は、それぞれの電波信号到達範囲（破線で示す）が互いに重ならないように天井に設置されている。電波発信機６の電波信号到達範囲は、照明器具２の照明光到達範囲よりも広い。電波発信機６は、Ｗｉ−Ｆｉ、Ｂｌｕｅｔｏｏｔｈ（登録商標）又はＢｌｕｅｔｏｏｔｈ−ＬＥ等の特定小電力無線を利用した発信機により構成される。なお、電波発信機６は、照明器具２に内蔵されていてもよい。
【００２０】
図２に示すように、照明器具２は、光源２１と、光源２１の点灯を制御する点灯回路２２と、を有する。また、照明器具２は、照明器具２の設置位置を示すユニークＩＤ２３を記憶したＩＤ記憶部２４と、点灯回路２２の動作を制御してユニークＩＤ２３を照明器具２からの照明光に重畳する重畳部２５と、を有する。
【００２１】
光源２１は、可視光通信可能な照明用光源により構成され、例えば、ＬＥＤ、有機ＥＬ又は蛍光灯により構成される。点灯回路２２は、パルス変調又は周波数変調等の方式で、ユーザが照明光の変調を感じることがないように光源２１の光出力を変調する。ユニークＩＤ２３は、各々の照明器具２毎に異なる固有番号であって、例えば、ＭＡＣアドレスやユビキタスＩＤセンタにより定められたユビキタスＩＤにより構成される。ＩＤ記憶部２４は、フラッシュメモリ等の書き込み可能なメモリにより構成される。重畳部２５は、マイコン等により構成され、ユニークＩＤ２３を可視光として繰り返し出力させる。
【００２２】
図３に示すように、携帯端末３は、照明器具２からの照明光（ユニークＩＤ２３）を受信するＩＤ受信部３０と、受信したユニークＩＤ２３に基づいて携帯端末３の位置を決定する位置決定部３１と、を有する。ＩＤ受信部３０は、フォトダイオードやＰＩＮフォトダイオード等の受光素子（不図示）と、この受光素子で受光した光からユニークＩＤ２３を含む信号光のみを通過させる光学フィルタ（不図示）と、を有する。位置決定部３１は、ユニークＩＤ２３と照明器具２の地図上における位置との組み合わせ情報を記録した位置データベース（不図示）を有し、その位置データベースを参照して携帯端末３の位置を決定する。また、携帯端末３は、位置決定部３１により決定された携帯端末３位置のサーバ５への送信及びサーバ５からのデータ受信を行う通信部３２を有する。
【００２３】
また、携帯端末３は、ユーザからの入力を受け付ける入力部３３と、サーバ５から受信したデータを出力する出力部３４と、電波発信機６からの電波信号を受信する電波受信部３５と、通信媒体として電波信号を発信する電波発信部３６と、を有する。入力部３３は、例えば、所定の携帯端末３が属するグループを特定するためのグループＩＤ、所定の携帯端末３を保持するユーザを特定するためのユーザＩＤ及び該ユーザを認証するためのパスワードのうち少なくとも一つの入力を受け付ける。このようなログイン機構を設けることで、周囲に不特定多数の携帯端末３が存在している場合でも、所定の携帯端末３の間だけでデータの送受信を行うことができる。出力部３４は、サーバ５から受信したデータを表示するための表示部３４ａと、同データを音声読み上げするためのスピーカ３４ｂと、を有する。電波発信部３６は、電波発信機６と同様に構成され、電波発信機６から発信される電波信号の周波数とは異なる周波数の電波信号を発信する。電波発信部３６から発信された電波信号は、他の携帯端末３の電波受信部３５により受信される。
【００２４】
更に、携帯端末３は、ユニークＩＤが重畳された光を出射する光出射部３７と、イメージセンサ３８と、携帯端末３の各部３０乃至３８の動作を制御する制御部３９と、を有する。光出射部３７は、照明器具２と同様に構成されている。光出射部３７から出射された光は、他の携帯端末３のイメージセンサ３８により受光される。
【００２５】
制御部３９は、電波受信部３５が電波発信機６から発信された電波信号を受信すると、同電波信号を受信したことを出力部３４によりユーザに通知し、ＩＤ受信部３０を照明器具２からのユニークＩＤ２３を受信することができるオン状態とする。そして、制御部３９は、電波受信部３５が同電波信号を所定時間受信しないと、ＩＤ受信部３０への電力供給を遮断することでＩＤ受信部３０のオン状態を解除してオフ状態とする。
【００２６】
また、制御部３９は、電波受信部３５が他の携帯端末３の電波発信部３６から発信された電波信号を受信すると、同電波信号を受信したことを出力部３４を通じてユーザに通知すると共に、イメージセンサ３８を起動する。イメージセンサ３８は、電波受信部３５が同電波信号を所定時間受信しないと終了するように構成されている。
【００２７】
図４に示すように、サーバ５は、携帯端末３からの携帯端末３位置の受信及び携帯端末３へのデータ送信を行う通信部５１と、携帯端末３（３ａ、３ｂ）の位置に基づいて携帯端末３ａから携帯端末３ｂまでの経路を決定する経路決定部５２と、を有する。経路決定部５２は、携帯端末３ａ、３ｂの各々から携帯端末３ａ、３ｂの中間地点までの経路を決定し、その中間地点を待ち合わせ地点に規定する。また、サーバ５は、上述した通信部５１及び経路決定部５２の動作を制御する制御部５３を有する。制御部５３は、経路決定部５２により決定された携帯端末３ａ、３ｂ間の経路を、通信部５１を介して携帯端末３ａ、３ｂに送信する。なお、サーバ５は、ローカルサーバであってもクラウドサーバであってもよい。
【００２８】
次に、上記のように構成された照明システム１を用いて、携帯端末３を保持するユーザ同士が待ち合わせをするときの動作について図５を参照して説明する。ここで、電波発信機６及び照明器具２は、それぞれ電波信号及びユニークＩＤ２３を常時発信しているものとする（Ｓ１及びＳ２）。まず、携帯端末３は、電波発信機６からの電波信号を電波受信部３５により受信すると（Ｓ３）、照明器具２からのユニークＩＤ２３を受信可能なオン状態となる（Ｓ４）。次いで、携帯端末３は、照明器具２からのユニークＩＤ２３を受信すると（Ｓ５）、そのユニークＩＤ２３に基づいて携帯端末３の位置を位置決定部３１により決定し（Ｓ６）、携帯端末３の位置をサーバ５に送信する（Ｓ７）。サーバ５は、携帯端末３（３ａ、３ｂ）の位置を受信すると（Ｓ８）、経路決定部５２により携帯端末３ａ、３ｂ間の経路を決定し（Ｓ９）、その経路を携帯端末３ａ、３ｂに送信する（Ｓ１０）。携帯端末３ａ、３ｂは、サーバ５から経路を受信すると（Ｓ１１）、その経路を表示部３４ａに表示してユーザに通知する（Ｓ１２）。表示された経路に従ってユーザが移動すると、携帯端末３は、電波発信機６からの電波信号が届く範囲の外側に出る。そうすると、携帯端末３は、電波発信機６からの電波信号を受信しなくなり（Ｓ１３）、ＩＤ受信部３０をオフ状態とする（Ｓ１４）。
【００２９】
図６（ａ）乃至（ｃ）は、携帯端末３ａを保持するユーザＵ１と携帯端末３ｂを保持するユーザＵ２とが、待ち合わせをするときの様子を示している。図６（ａ）（ｂ）に示すように、図例では、照明器具２が、施設の特定場所を示す照明看板により構成されている。ユーザＵ１、Ｕ２は、それぞれ携帯端末３ａ、３ｂを照明器具２にかざし、照明器具２からのユニークＩＤ２３（不図示）を受信する。そうすると、図５に示した手順で処理が行われ、図６（ｃ）に示すように、地図上におけるユーザＵ１、Ｕ２の位置（三角で示す）、ユーザＵ１、Ｕ２を結ぶ経路Ｒ及び経路Ｒの中間地点（待ち合わせ地点）Ｍが、携帯端末３ａ、３ｂの表示部３４ａに表示される。このとき、地図にインプットされた照明器具２の位置からユーザＵ１、Ｕ２が現在どちらの方向を向いているのかが示されるので、ユーザＵ１、Ｕ２は、待ち合わせ相手と会うために、どの道をどちらの向きに進めば良いのか容易に知ることができる。
【００３０】
上記のようにして、ユーザＵ１、Ｕ２が待ち合わせ地点Ｍに向かったとしても、待ち合わせ地点Ｍに多くの人が居て、待ち合わせ相手を見つけるのが困難なときがある。このように、待ち合わせ相手は近くに居るはずなのに、その待ち合わせ相手を見つけることができないときの動作について図７及び図８を参照して説明する。
【００３１】
まず、図７に示すように、携帯端末３ｂ（ユーザＵ２）は、電波発信部３６から電波信号を発信すると共に、光出射部３７からユニークＩＤを含む光を出射する（Ｓ１５及びＳ１６）。携帯端末３ａ（ユーザＵ１）は、携帯端末３ｂの電波発信部３６から発信された電波信号を電波受信部３５により受信すると（Ｓ１７）、携帯端末３ｂが近くに居ることを認識してイメージセンサ３８を起動する（Ｓ１８）。この状態で、携帯端末３ａを周囲の人々にかざすと（図８参照）、携帯端末３ａのイメージセンサ３８が、携帯端末３ｂの光出射部３７から出射された光を受光し（Ｓ１９）、携帯端末３ｂの居場所を携帯端末３ａの表示部３４ａに拡張現実等で出力する（Ｓ２０）。これにより、携帯端末３ａは、周囲に不特定多数の人が居たとしても、携帯端末３ｂの居場所を速やかに見つけることができる。
【００３２】
上述のように、本実施形態の照明システム１によれば、照明器具２との可視光通信により携帯端末３の位置が決定され、携帯端末３の位置に基づいて待ち合わせ相手までの経路が決定される。そのため、列車の駅務施設のような特殊な機器を利用する従来のシステムに比べて汎用性が高く、また、待ち合わせ相手までの経路についても情報を与えて待ち合わせ相手との待ち合わせを支援することができる。
【００３３】
また、ＩＤ受信部３０が、電波発信機６からの電波信号を受信できる範囲、すなわち、照明器具２の近傍でだけオン状態となる。これにより、照明器具２からのユニークＩＤ２３が届かないところで無駄にＩＤ受信部３０がオン状態になるのを防止して、携帯端末３の消費電力を低減することができる。また、イメージセンサ３８は、電波発信部３６からの電波信号を受信しているときだけ起動されるので、これによっても携帯端末３の消費電力を低減することができる。
【００３４】
次に、他の実施形態に係る照明システムについて図９を参照して説明する。本実施形態の照明システムは、携帯端末３の光出射部３７から出射された光を受光するセンサ７を更に備える。センサ７は、携帯端末３のＩＤ受信部３０と同様に構成され、受光した光からユニークＩＤに含まれる情報だけを抽出する。ここで、ユニークＩＤに含まれる情報とは、ユーザの属性情報であり、例えば、ユーザがドイツ人旅行者である場合には「ドイツ語による対応を求める」といった要望である。このような要望は、サーバ５に送信され、サーバ５のサービスパーソンＳＰにより読み取られる。要望を読み取ったサービスパーソンＳＰは、その要望に応じたサービスを可視光通信により携帯端末３に送信する。
【００３５】
また、ユニークＩＤに含まれる情報が、例えば、タクシーの配車を要望するものである場合には、サービスパーソンＳＰは、その要望を読み取り、携帯端末３の元にタクシーを配車する。ここで、そのタクシーに同ユニークＩＤを読み取るイメージセンサを搭載しておけば、携帯端末３の居場所を拡張現実等で容易に見つけることができる。
【００３６】
次に、更に他の実施形態に係る照明システムについて図１０乃至図１２を参照して説明する。図１０に示すように、本実施形態の照明システムでは、照明器具２が、施設の特定場所を示す照明看板により構成され、図例では、「新幹線八条口」と表記された照明看板により構成されている。このような漢字表記の照明看板は、漢字を読むことができない外国人旅行者にとっては意味を理解することができない。
【００３７】
そこで、本実施形態の携帯端末３には、旅行者の母国語を規定する言語アプリケーションソフト（不図示）がインストールされている。また、図１１（ａ）に示すように、サーバ５は、照明器具（照明看板）２の表記を旅行者の母国語に翻訳するための翻訳データベース５４を更に有する。図１１（ｂ）に示すように、翻訳データベース５４は、照明看板２から発信されるユニークＩＤ２３と、その照明看板２の表記を各国語に翻訳したものと、の組み合わせ情報を記憶している。図例では、「ＩＤ−５１２」というユニークＩＤ２３に対して、このユニークＩＤ２３を発信する照明看板２に表記された「新幹線八条口」という日本語の英語・韓国語・中国語・ドイツ語・フランス語・スペイン語表記が対応付けられて記憶されている。また、図示していないが、翻訳データベース５４は、照明看板２の表記を翻訳したものだけでなく、照明看板２の表記に関連した種々の情報（例えば、行き先、店舗情報及び場所説明）も記憶している。
【００３８】
本実施形態の照明システムの動作について図１２を参照して説明する。照明看板２は、ユニークＩＤ２３を常時発信している（Ｓ２１）。旅行者は、表記内容の分からない照明看板２を見つけると、携帯端末３の言語アプリケーションソフトを起動し（Ｓ２２）、その照明看板２からのユニークＩＤ２３を携帯端末３で受信する（Ｓ２３）。次いで、携帯端末３は、受信したユニークＩＤ２３と、言語アプリケーションソフトで規定した旅行者の母国語情報と、をサーバ５に送信する（Ｓ２４）。サーバ５は、携帯端末３からのユニークＩＤ２３及び母国語情報を受信すると（Ｓ２５）、翻訳データベース５４を検索して（Ｓ２６）、照明看板２に関連した情報を旅行者の母国語に翻訳して携帯端末３に送信する（Ｓ２７）。携帯端末３は、照明看板２に関連した情報を受信すると（Ｓ２８）、その情報を出力部３４から出力してユーザに通知する（Ｓ２９）。
【００３９】
これにより、図１０に示したように、例えば、携帯端末３がスマートフォンにより構成されている場合には（一点鎖線矢印で示した図を参照）、照明看板２に携帯端末３をかざすと、旅行者の母国語（図例ではスペイン語）表記が照明看板２に拡張現実表示される。また、携帯端末３がヘッドマウントディスプレイにより構成されている場合には（二点鎖線矢印で示した図を参照）、そのヘッドマウントディスプレイを通して照明看板２を見たときに、漢字表記をスペイン語表記に翻訳したものが表示される。更に、ヘッドマウントディスプレイは、漢字表記をスペイン語表記に翻訳したものを音声出力してもよい（吹き出しで示す）。なお、照明看板２は、床面から立設された平板状のものであれば、表面と裏面とで互いに異なるユニークＩＤ２３を発信してもよく、また、天井面から吊り下げられたものであれば、表面、裏面及び下面で互いに異なるユニークＩＤ２３を発信してもよい。
【００４０】
上記のようにすることで、照明看板２に旅行者の母国語ではない言語での表記があった場合でも、旅行者は、照明看板２の意味を理解することができる。また、携帯端末３をヘッドマウントディスプレイにより構成した場合には、ヘッドマウントディスプレイを装着したまま移動することで、目の前に種々の情報が拡張現実等で次々に表示される。これにより、初めて訪れた場所であっても迷わず目的地にたどり着くことができ、また、自動的に多くの情報を得ることができる。
【００４１】
なお、本発明に係る照明システムは、上記実施形態に限定されず種々の変形が可能である。例えば、携帯端末の数は３つ以上であってもよく、そのような場合には、すべての携帯端末の位置が決定された後に待ち合わせ場所までの経路が決定される。このようにすることで、いずれの携帯端末からも都合の良い待ち合わせ場所を規定することができる。また、経路決定部は、同一施設内における経路を決定するだけでなく、例えば、電車に乗って待ち合わせ場所に向かう場合には、何時何分の電車に乗るべきか、電車のどの車両に乗れば出口に近いかといった交通案内を兼ねるものであってもよい。
【符号の説明】
【００４２】
１  照明システム
２  照明器具
２３  ユニークＩＤ
２４  ＩＤ記憶部
２５  重畳部
３、３ａ、３ｂ  携帯端末
３０  ＩＤ受信部
３１  位置決定部
３２  通信部
３３  入力部
３５  電波受信部
３６  電波発信部
３７  光出射部
３８  イメージセンサ
５  サーバ
５１  通信部
５２  経路決定部
６  電波発信機
Ｍ  （複数の携帯端末の）中間地点
Ｒ  経路
Ｕ１、Ｕ２  （携帯端末の）ユーザ
【図１】
2015176653.tif 000003
【図２】
2015176653.tif 000004
【図３】
2015176653.tif 000005
【図４】
2015176653.tif 000006
【図５】
2015176653.tif 000007
【図７】
2015176653.tif 000008
【図８】
2015176653.tif 000009
【図９】
2015176653.tif 000010
【図１０】
2015176653.tif 000011
【図１１】
2015176653.tif 000012
【図１２】
2015176653.tif 000013
【図６】
2015176653.tif 000014